(57)【特許請求の範囲】
【請求項１】
来訪者が居住者を呼び出すために集合住宅のエントランス等に設置された集合玄関機と、前記集合玄関機からの呼び出しに応答するために各住戸内に設置された居室親機と、前記集合玄関機、及び前記居室親機を制御する制御機と、外部に設置されて地震情報を発信する地震情報発信手段から地震情報を受信したら前記制御機に送信する地震情報受信装置とを有し、前記制御機が地震情報を受信したら各居室親機へ通知して居住者に対して地震情報の報知制御を行う集合住宅インターホンシステムにおいて、
前記制御機は、予め地域などで決められた複数の避難場所情報を記憶する避難場所記憶部と、各居室親機への地震情報の送信に連動させて同時に或いは地震情報送信後に、前記記憶している避難場所情報を送信する報知制御手段とを備える一方、前記居室親機は避難場所情報を表示する表示部と、避難場所を選択する選択手段とを有し、
更に前記制御機は、居室親機毎に関連付けられて登録された携帯電話端末等の通信機器のメールアドレスを記憶するアドレス記憶部と、前記通信機器へメール送信するための通信ネットワーク接続部とを有し、
前記選択手段の操作により、前記制御機から前記居室親機に送信された複数の避難場所情報から１つが選択されたら、前記報知制御手段は登録されたメールアドレスに対して選択された避難場所情報をメール送信する制御を行うことを特徴とする集合住宅インターホンシステム。
【請求項２】
前記避難場所記憶部が記憶する避難場所情報が地図から成る画像情報を含むと共に、前記表示部は前記画像情報を表示可能であることを特徴とする請求項１記載の集合住宅インターホンシステム。
【請求項３】
来訪者が居住者を呼び出すために玄関等に設置された玄関子機と、前記玄関子機からの呼び出しに応答するために住戸内に設置された居室親機と、外部に設置されて地震情報を発信する地震情報発信手段から地震情報を受信したら前記居室親機に送信する地震情報受信装置とを有したインターホンシステムであって、
前記居室親機は、予め地域などで決められた避難場所情報を記憶する避難場所記憶部と、前記地震情報受信装置から受信したら地震情報を報知制御する報知制御手段と、避難場所を表示する表示部とを備え、
更に前記避難場所記憶部が複数の避難場所を記憶し、前記居室親機が避難場所を選択する選択手段を有する一方、前記居室親機は、登録された携帯電話端末等の通信機器のメールアドレスを記憶するアドレス記憶部と、前記通信機器へメール送信するための通信ネットワーク接続部とを有し、
前記報知制御手段は、地震情報の送信に連動させて同時に或いは地震情報報知後に、前記記憶している避難場所情報を前記表示部に表示し、
前記選択手段の操作により、表示された避難場所情報から１つの避難場所が選択されたら、前記報知制御手段は、登録されたメールアドレスに対して選択された避難場所情報をメール送信する制御を行うことを特徴とするインターホンシステム。
【請求項４】
前記避難場所記憶部が記憶する避難場所情報が、地図から成る画像情報を含むと共に、前記表示部は前記画像情報を表示可能であることを特徴とする請求項３記載のインターホンシステム。
【発明の詳細な説明】
【技術分野】
【０００１】
本発明は集合住宅インターホンシステム及びインターホンシステムに関し、特に居室親機に地震情報報知機能を設けた集合住宅インターホンシステム及びインターホンシステムに関する。
【背景技術】
【０００２】
地震が発生したら、その情報を入手して報知する地震情報報知機能を備え、地震発生時に居室親機から警報を発するインターホンシステムがある。例えば、このようなインターホンシステムのうち集合住宅に設置した集合住宅インターホンシステムとして、特許文献１に開示された構成のものがある。これは、集合住宅の管理人室などに設置される警報監視盤と、集合住宅の各住戸に設置される住宅情報盤とを組み合わせて構成され、地震検知手段が地震を検知したら地震発生を上記警報監視盤に通知する通知手段と、警報監視盤からの地震確定情報を受けて、所定の対処ガイダンスを報知する報知手段とを備えている。そして、警報監視盤は何れかの住宅情報盤からの地震通知を受け付けたら、続けて他の住宅情報盤から通知される地震通知のサンプリングを行い、そのサンプリングにおいて地震通知受信回数が所定回数以上となったときには、地震発生を確定し地震確定情報として各住宅情報盤に出力するよう動作した。
【０００３】
【特許文献１】特開２００３−６７８６６号公報
【発明の開示】
【発明が解決しようとする課題】
【０００４】
上記従来の集合住宅インターホンシステムは、地震発生に関する情報を居室親機としての住宅情報盤にて報知できるので地震情報報知機能を簡易に構成できた。しかしながら、居住者はその報知を聞いて自身の判断により避難場所へ避難することになるが、予めどこに避難するのかを家族で決めて個々の家族がそれを把握していればよいが、決めていなかったり、避難場所がどこであったかを忘れてしまうことがあり、スムーズな避難ができない事態が考えられた。
また、仕事等で家にいなかったり外出中の家族は、家にいる家族がどこに避難したのか把握できなかったり、無事であるのかを確認することができない事態が考えられた。
【０００５】
そこで、本発明はこのような問題点に鑑み、居室親機で地震情報報知が行われた場合に、避難場所情報も合わせて報知でき、更にどこに避難したのかを外出している家族に通知できる集合住宅インターホンシステム、及びインターホンシステムを提供することを目的とする。
【課題を解決するための手段】
【０００６】
上記課題を解決する為に、請求項１に記載の発明は、来訪者が居住者を呼び出すために集合住宅のエントランス等に設置された集合玄関機と、集合玄関機からの呼び出しに応答するために各住戸内に設置された居室親機と、集合玄関機、及び居室親機を制御する制御機と、外部に設置されて地震情報を発信する地震情報発信手段から地震情報を受信したら制御機に送信する地震情報受信装置とを有し、制御機が地震情報を受信したら各居室親機へ通知して居住者に対して地震情報の報知制御を行う集合住宅インターホンシステムにおいて、制御機は、予め地域などで決められた複数の避難場所情報を記憶する避難場所記憶部と、各居室親機への地震情報の送信に連動させて同時に或いは地震情報送信後に、記憶している避難場所情報を送信する報知制御手段とを備える一方、居室親機は避難場所情報を表示する表示部と、避難場所を選択する選択手段とを有し、更に制御機は、居室親機毎に関連付けられて登録された携帯電話端末等の通信機器のメールアドレスを記憶するアドレス記憶部と、通信機器へメール送信するための通信ネットワーク接続部とを有し、選択手段の操作により、制御機から居室親機に送信された複数の避難場所情報から１つが選択されたら、報知制御手段は登録されたメールアドレスに対して選択された避難場所情報をメール送信する制御を行うことを特徴とする。
この構成によれば、地震情報の報知に連動させて避難場所情報が居室親機に表示されるので、居住者は速やかに避難場所を認識でき、避難場所に迷い混乱するようなことが無くなる。
また、複数の避難場所から居住者が特定した１箇所の避難場所情報のみ携帯電話等に送信されるので、外出している家族がいても避難場所を家族の間で間違えることが無く、家族が同一の避難場所に集まることが可能となる。また、居住者が選択操作する行程を備えるため、避難場所情報のメールを受け取った家族は、居住者が動ける状態にあることを認識でき安心できる。
【０００７】
請求項２の発明は、請求項１に記載の発明において、避難場所記憶部が記憶する避難場所情報が地図から成る画像情報を含むと共に、表示部は画像情報を表示可能であることを特徴とする。
この構成によれば、避難場所が地図で表示されるので、避難場所までの経路を把握しやすく分かり易い。
【００１０】
請求項３の発明は、来訪者が居住者を呼び出すために玄関等に設置された玄関子機と、玄関子機からの呼び出しに応答するために住戸内に設置された居室親機と、外部に設置されて地震情報を発信する地震情報発信手段から地震情報を受信したら居室親機に送信する地震情報受信装置とを有したインターホンシステムであって、居室親機は、予め地域などで決められた避難場所情報を記憶する避難場所記憶部と、地震情報受信装置から受信したら地震情報を報知制御する報知制御手段と、避難場所を表示する表示部とを備え、更に避難場所記憶部が複数の避難場所を記憶し、居室親機が避難場所を選択する選択手段を有する一方、居室親機は、登録された携帯電話端末等の通信機器のメールアドレスを記憶するアドレス記憶部と、通信機器へメール送信するための通信ネットワーク接続部とを有し、報知制御手段は、地震情報の送信に連動させて同時に或いは地震情報報知後に、記憶している避難場所情報を表示部に表示し、選択手段の操作により、表示された避難場所情報から１つの避難場所が選択されたら、報知制御手段は登録されたメールアドレスに対して選択された避難場所情報をメール送信する制御を行うことを特徴とする。
この構成によれば、地震情報の報知に連動させて避難場所情報が居室親機に表示されるので、居住者は速やかに避難場所を認識でき、避難場所に迷い混乱するようなことが無くなる。
また、複数の避難場所から居住者が特定した１箇所のみ携帯電話等に送信されるので、外出している家族がいても避難場所を間違えることが無く、家族が同一の避難場所に集まることが可能となる。
【００１１】
請求項４の発明は、請求項３に記載の発明において、避難場所記憶部が記憶する避難場所情報が、地図から成る画像情報を含むと共に、表示部は画像情報を表示可能であることを特徴とする。
この構成によれば、避難場所が地図で表示されるので、避難場所までの経路を把握しやすく分かり易い。
【発明の効果】
【００１４】
本発明によれば、地震情報の報知に連動して避難場所情報が居室親機に表示されるので、居住者は速やかに避難場所を認識でき、避難場所に迷い混乱するようなことが無くなる。また、複数の避難場所から居住者が特定した１箇所のみ携帯電話等に送信されるので、外出している家族がいても避難場所を間違えることが無く、家族が同一の避難場所に集まることが可能となる。
【発明を実施するための最良の形態】
【００１５】
以下、本発明を具体化した実施の形態を、図面に基づいて詳細に説明する。図１は、本発明に係る集合住宅インターホンシステムの一例を示す構成図であり、１は集合住宅のエントランス等に設置され来訪者が居住者を呼び出すための集合玄関機、２は集合玄関機１からの呼び出しに応答するための居室親機、３は管理室等に設置されて集合玄関機１又は居室親機２と通話を実施できる管理室親機、４はこれら各機器間の通信を制御する制御機、５は外部から入手した地震情報を制御機４に通知する地震情報受信装置、６は居住者が携行する携帯電話を示している。尚、Ｍは集合住宅、Ｎはインターネット網等の通信ネットワーク、Ｐは居室親機２の拡大図、Ｔは地震の震源地を示している。
【００１６】
そして、集合玄関機１は伝送線Ｔ１により制御機４に接続され、居室親機２は親機幹線Ｔ２により制御機４に接続され、管理室親機３は伝送線Ｔ３により制御機４に接続され、地震情報受信装置５は伝送線Ｔ４により制御機４に接続されている。また、地震情報受信装置５は、通信ネットワークＮに接続されて、同様に通信ネットワークＮに接続された気象庁のサーバ８から発信された地震情報を自動入手するよう構成されている。この地震情報受信装置５は、サーバ８から入手した地震情報を解析し、集合住宅Ｍでの震度、地震発生までにかかる時間（Ｓ波到達までの時間）等を計算し、この解析された地震情報を制御機４に送信する。尚、計算に必要な集合住宅Ｍの位置情報は地震情報受信装置５を設置する際に設定される。
【００１７】
集合玄関機１は、複数の住戸のうちの何れかを選択して居住者を呼び出すための操作部１ａを備えると共に、来訪者を撮像するカメラ１ｂを備え、呼び出し操作が成されたらカメラ１ｂが撮像した映像信号が制御機４を介して呼出先の居室親機２に伝送される。
【００１８】
居室親機２は図２に示すような回路を備えている。具体的に、集合玄関機１に備えられているカメラ１ｂが撮像した映像を出画するモニタ１１、モニタ１１に出画する映像信号を処理する映像処理部１２、マイク２ａ及びスピーカ２ｂ（図１に示す）を備えた通話部１３、通話部１３を制御する通話回路１４、呼び出しに対して応答するための通話ボタン１５、タッチパネルや押ボタンから成る操作部１６、居室親機２の各部を制御する親機制御部１７、制御機４と通信するためのインターフェース（親機ＩＦ）１８を備えている。
【００１９】
また、制御機４は図３に示すような回路を備えている。具体的に、避難場所を記憶する避難場所記憶部２１、避難場所情報を携帯電話等の通信機器に送信するためのメールアドレスが登録されたアドレス記憶部２２、集合玄関機１及び管理室親機３と通信するためのインターフェース（第１ＩＦ）２３、居室親機２と通信するためのインターフェース（第２ＩＦ）２４、地震情報受信装置５と通信するためのインターフェース（第３ＩＦ）２５、通信ネットワークＮに接続するためのインターフェース（第４ＩＦ）２６、機器間の通話路及び映像路を制御する通話／映像路制御部２７、制御機４の各部を制御する制御機制御部２８を備えている。
【００２０】
そして、避難場所記憶部２１には、避難場所情報が地図として画像情報で記憶され、居室親機２で表示される場合、図１に示すようにモニタ３４に地図画像Ｑが表示される。また、アドレス記憶部２２には、居室親機２毎に登録したメールアドレスが記憶される。
【００２１】
このように構成された集合住宅インターホンシステムは、以下のように動作する。但し、集合玄関機１を操作して居住者を呼び出し、居室親機２との間で通話を実施すること、その際カメラ１ｂが撮像した映像が居室親機２のモニタ１１に出画される等の集合住宅インターホンシステムにおける通常の動作は、従来と同様であるため説明を省略し、地震情報受信装置５が地震情報を受信した場合の動作を説明する。
【００２２】
震源地Ｔで地震が発生するとサーバ８から地震情報が発信され、通信ネットワークＮを介して地震情報受信装置５にて受信される。地震情報受信装置５は、この地震情報を解析して集合住宅Ｍでの震度、地震発生までにかかる時間（Ｓ波到達までの時間）等を計算し、この解析された地震情報を例えば音声放送信号により制御機４に送信する。
【００２３】
この地震情報を受信した制御機４は、制御機制御部２８が、親機幹線Ｔ２内及び伝送線Ｔ３の通話路を使用して、送信された地震情報を各居室親機２，２・・及び管理室親機３に送信する。この地震情報を受けた居室親機２は、親機制御部１７の制御により、通話部１３のスピーカ２ｂから地震発生を知らせる放送が流れ、同時にモニタ１１に震度、地震発生までにかかる時間が表示される。こうして、居住者に音と表示により地震発生が通知される。尚、管理室親機３も同様に報知動作が成される。
【００２４】
地震情報の放送が終了すると、制御機制御部２８は予め避難場所記憶部２１に記憶している避難場所の地図情報を各居室親機２，２・・に送信する。尚、地震情報の放送は、地震情報受信装置５からの地震情報の送信が停止したら終了するが、居室親機２の操作で停止させることもできる。
避難場所情報を受信した居室親機２では、親機制御部１７が、図１の居室親機２の拡大図Ｐに示すように、地図画像Ｑがモニタ１１に表示する。ここでは、２箇所の避難場所が四角で表示された地図が表示されている。
【００２５】
そして、この画像を見た居住者により、何れの避難場所に避難するか操作部１６が操作（例えば、一方の避難場所部位をタッチ操作）されて選択されると、親機制御部１７はその選択情報を制御機４に送信し、選択された避難場所が制御機制御部２８で認識される。制御機制御部２８は、その特定した避難場所を認識するとアドレス記憶部２２に登録されたメールアドレスのうち、選択操作された居室親機２に関連付けられているメールアドレス宛にその選択された避難場所情報を地図画像でメール送信する。
こうして、例えば家族の携帯電話６のメールアドレスに対してメール送信操作が成され、外出している家族に対して避難場所が自動通知される。そして、この送信制御が居室親機２毎に実施される。
尚、地図画像Ｑ上に避難場所が１箇所しかない場合は、選択操作を待たずに制御機制御部２８は、アドレス記憶部２２に登録されたメールアドレス宛に避難場所画像をメール送信する。
【００２６】
このように、地震情報の報知に連動して避難場所情報が居室親機２に表示されるので、居住者は速やかに避難場所を認識でき、避難場所に迷い混乱するようなことが無くなる。そして、避難場所が地図で表示されるので、避難場所までの経路を把握しやすく分かり易い。
また、居室親機２に表示された避難場所情報が登録された携帯電話６等にも送信されるので、地震発生時に仕事先にいる家族や外出している家族に対して避難場所を通知することができ、家族が同一の避難場所に集まることが可能となる。
更に、登録された避難場所が複数ある場合は、居住者が地震発生時に特定した１箇所のみ携帯電話６等に送信されるので、外出している家族がいても避難場所を間違えることが無く、家族が同一の避難場所に集まることが可能となるし、居住者が選択操作する行程を備えるため、避難場所情報のメールを受け取った家族は、居住者が動ける状態にあることを認識でき安心できる。
【００２７】
尚、上記実施例においても各種メモリは、居室親機２に備えてもよい。また、避難場所記憶部２１に記憶させる避難場所は、各居室親機２，２・・で作成した個別のものであっても良いし、集合住宅や町内で決めた共通の避難場所情報であってもよい。
【００２８】
次に、戸建住宅に使用するインターホンシステムについて本発明の一例を説明する。図４は構成図であり、３１は玄関等に設置されて居住者を呼び出して通話するための玄関子機、３２は住戸内に設置されて玄関子機３１からの呼び出しに応答するための居室親機である。そして、上記図１と同様に地震情報受信装置５を備え、通信ネットワークＮを介してサーバ８から地震情報を受信したら報知する機能を備えている。尚、図１と同一の構成要素には同一の符号を付与してある。
【００２９】
玄関子機３１は、居住者を呼び出すための呼出ボタン３１ａ、来訪者を撮像するカメラ３１ｂを備え、呼出操作が成されたらカメラ３１ｂが撮像した映像信号が居室親機３２に伝送される。
【００３０】
居室親機３２は図５に示すような回路を備えている。具体的に、玄関子機３１のカメラ３１ｂが撮像した映像を出画するモニタ３４、モニタ３４に出画する映像信号を処理する映像処理部３５、マイク３２ａ及びスピーカ３２ｂを備えた通話部３６、通話部３６を制御する通話回路３７、呼び出しに対して応答するための通話ボタン３８、タッチパネルや操作ボタンから成る操作部３９、避難場所を記憶する避難場所記憶部４０、避難場所情報を携帯電話等の通信機器に送信するためのメールアドレスが登録されたアドレス記憶部４１、居室親機３２の各部及び玄関子機３１を制御する親機制御部４２、玄関子機３１と通信するためのインターフェース（第５ＩＦ）４３、地震情報受信装置５と通信するためのインターフェース（第６ＩＦ）４４、通信ネットワークＮに接続するためのインターフェース（第７ＩＦ）４５を備えている。
【００３１】
そして、避難場所記憶部４０には、避難場所情報が地図として画像情報で記憶され、モニタ３４に表示される場合、図４に示すように地図画像Ｑとして表示される。また、アドレス記憶部４１には、登録されたメールアドレスが記憶される。
【００３２】
このように構成されたインターホンシステムは、以下のように動作する。但し、玄関子機３１を操作して居住者を呼び出し、居室親機３２との間で通話を実施すること、その際カメラ３１ｂが撮像した映像が居室親機３２のモニタ３４に出画される等のインターホンシステムにおける通常の動作は、従来と同様であるため説明を省略し、地震情報受信装置５が地震情報を受信した場合の動作を説明する。
【００３３】
震源地Ｔで地震が発生すると、上記集合住宅インターホンシステムの実施形態と同様に、サーバ８から地震情報が発信され、通信ネットワークＮを介して地震情報受信装置５にて受信される。地震情報受信装置５は、この地震情報を解析してインターホンが設置された住戸での震度、地震発生までにかかる時間（Ｓ波到達までの時間）等を計算し、この解析された地震情報を例えば音声放送信号により居室親機３２に送信する。尚、計算に必要な住戸の位置情報は地震情報受信装置５を設置する際に入力される。
【００３４】
この地震情報を受けた居室親機３２では、親機制御部４２の制御により、通話部３６のスピーカ３２ｂから地震発生を知らせる放送が流れ、同時にモニタ３４に震度、地震発生までにかかる時間が表示される。こうして、居住者に音と表示により地震発生が通知される。
地震情報の放送が終了すると、親機制御部４２は引き続き避難場所記憶部４０に記憶されている避難場所の地図情報Ｑを、図４に示すようにモニタ３４に表示させる。ここでは、２箇所の避難場所が四角で表示された地図画像Ｑが表示される。
尚、地震情報の放送は、地震情報受信装置５からの地震情報の送信が停止したら終了するが、居室親機２の操作で停止させることもできる。
【００３５】
そして、この画像を見た居住者により、何れの避難場所に避難するか操作部３９が操作（例えば、一方の避難場所部位をタッチ操作）されて選択されると、選択された避難場所を親機制御部４２が認識し、その特定した避難場所情報がアドレス記憶部４１に登録されたメールアドレス宛に送信される。こうして例えば、外出している家族が携行する携帯電話６に避難場所情報が地図画像としてメール送信される。
尚、表示した画像上に避難場所が１箇所しかない場合は、選択操作を待たずにアドレス記憶部４１に登録されたメールアドレス宛に避難場所画像がメール送信される。
【００３６】
このように、地震情報の報知に連動して避難場所情報が居室親機３２に表示されるので、居住者は速やかに避難場所を認識でき、避難場所に迷い混乱するようなことが無くなる。そして、避難場所が地図で表示されるので、避難場所までの経路を把握しやすく分かり易い。
また、居室親機３２に表示された避難場所情報が登録された携帯電話６等にも送信されるので、地震発生時に外出している家族に対しても避難場所を通知することができ、家族が同一の避難場所に集まることが可能となる。
更に、登録された避難場所が複数ある場合は、地震発生時に居住者が特定した１箇所のみ携帯電話６等に送信されるので、外出している家族がいても避難場所を間違えることが無く、家族が同一の避難場所に集まることが可能となるし、居住者が選択操作する行程を備えるため、避難場所情報のメールを受け取った家族は、居住者が動ける状態にあることを認識でき安心できる。
【００３７】
尚、何れの実施形態も、居室親機２，３２に表示する避難場所情報、及びメール送信する避難場所情報を地図情報としているが、勿論住所等の文字情報としても良く、避難場所を特定できる。また、地図及び住所の双方を表示するようにしても良い。また、地震情報報知後に避難場所情報を表示しているが、地震情報報知の終了を待たずに避難場所情報を表示させても良い。
【図面の簡単な説明】
【００３８】
【図１】本発明に係る集合住宅インターホンシステムの一例を示す構成図である。
【図２】図１の居室親機の回路ブロック図である。
【図３】図１の制御機の回路ブロック図である
【図４】本発明に係るインターホンシステムの構成図である。
【図５】図４の居室親機の回路ブロック図である。
【符号の説明】
【００３９】
１・・集合玄関機、２・・居室親機、４・・制御機、５・・地震情報受信装置、６・・携帯電話（通信機器）、８・・サーバ（地震情報発信手段）、１１・・モニタ、１６・・操作部、１７・・親機制御部、２１・・避難場所記憶部、２２・・アドレス記憶部、２６・・第４ＩＦ（通信ネットワーク接続部）、２８・・制御機制御部（報知制御手段）、３１・・玄関子機、３２・・居室親機、３４・・モニタ（表示部）、３９・・操作部、４０・・避難場所記憶部、４１・・アドレス記憶部、４２・・親機制御部（報知制御手段）、４５・・第７ＩＦ（通信ネットワーク接続部）、Ｎ・・通信ネットワーク。
【図１】
0004995036.tif 000002
【図２】
0004995036.tif 000003
【図３】
0004995036.tif 000004
【図４】
0004995036.tif 000005
【図５】
0004995036.tif 000006